(57)【特許請求の範囲】
【請求項１】
コンテンツの提供の際に表示形式を指定するコンテンツ提供装置であって、
メタ情報に基づいて、コンテンツを選別するコンテンツ選別部と、
前記メタ情報に基づいて、タイポグラフィの候補を抽出する候補抽出部と、
前記選別され表示しようとする特定のコンテンツの情報および前記特定のコンテンツを閲覧したユーザによる閲覧履歴情報に基づいて、前記タイポグラフィの候補のうちから、前記特定のコンテンツの提供先への表示時に用いられるタイポグラフィを決定するタイポグラフィ決定部と、
前記決定されたタイポグラフィに基づいて前記特定のコンテンツをレイアウトしデザインシートを生成するデザインシート生成部と、を備えることを特徴とするコンテンツ提供装置。
【請求項２】
前記特定のコンテンツの閲覧履歴情報からメタ情報に含まれる項目毎の閲覧頻度を算出する情報評価部を更に備え、
前記タイポグラフィ決定部は、前記算出された閲覧頻度に基づいて、前記特定のコンテンツの提供先への表示時に用いられるタイポグラフィを決定することを特徴とする請求項１記載のコンテンツ提供装置。
【請求項３】
前記候補抽出部は、前記メタ情報として、指定された単一のユーザまたは複数ユーザからなるユーザグループのメタ情報を用いて、タイポグラフィの候補を抽出し、
前記タイポグラフィ決定部は、前記特定のコンテンツの閲覧履歴情報として、指定された単一のユーザまたは複数ユーザからなるユーザグループによるコンテンツの閲覧履歴情報を用い、前記特定のコンテンツの提供先への表示時に用いられるタイポグラフィを決定することを特徴とする請求項１記載のコンテンツ提供装置。
【請求項４】
前記タイポグラフィ決定部は、一定の期間内で収集された前記特定のコンテンツを閲覧したユーザによる閲覧履歴情報を用いて、前記特定のコンテンツの提供先への表示時に用いられるタイポグラフィを決定することを特徴とする請求項１から請求項３のいずれかに記載のコンテンツ提供装置。
【請求項５】
前記生成されたデザインシートとともに前記特定のコンテンツを配信するコンテンツ配信部と、を更に備えることを特徴とする請求項１から請求項４のいずれかに記載のコンテンツ提供装置。
【請求項６】
請求項５記載のコンテンツ提供装置から前記特定のコンテンツを配信される配信先の通信端末装置であって、
前記特定のコンテンツを前記生成されたデザインシートで表示する表示部と、
前記特定のコンテンツの表示中に、所定の契機で前記コンテンツ提供装置に対して前記決定されたタイポグラフィを確認するタイポグラフィ確認部と、を備え、
前記表示部は、前記確認されたタイポグラフィを動的に更新して前記特定のコンテンツを表示することを特徴とする通信端末装置。
【請求項７】
前記生成されたデザインシートにより前記特定のコンテンツを表示するコンテンツ表示部を更に備えることを特徴とする請求項１から請求項４のいずれかに記載のコンテンツ提供装置。
【請求項８】
コンテンツの提供の際に表示形式を指定するコンテンツ提供のための方法であって、
メタ情報に基づいて、コンテンツを選別するステップと、
前記メタ情報に基づいて、タイポグラフィの候補を抽出するステップと、
前記選別され表示しようとする特定のコンテンツの情報および前記特定のコンテンツを閲覧したユーザによる閲覧履歴情報に基づいて、前記タイポグラフィの候補のうちから、前記特定のコンテンツのユーザへの表示時に用いられるタイポグラフィを決定するステップと、
前記決定されたタイポグラフィに基づいて前記特定のコンテンツをレイアウトしデザインシートを生成するステップと、を含むことを特徴とする方法。
【請求項９】
コンテンツの提供の際に表示形式を指定するコンテンツ提供のためのプログラムであって、
メタ情報に基づいて、コンテンツを選別する処理と、
前記メタ情報に基づいて、タイポグラフィの候補を抽出する処理と、
前記選別され表示しようとする特定のコンテンツの情報および前記特定のコンテンツを閲覧したユーザによる閲覧履歴情報に基づいて、前記タイポグラフィの候補のうちから、前記特定のコンテンツのユーザへの表示時に用いられるタイポグラフィを決定する処理と、
前記決定されたタイポグラフィに基づいて前記特定のコンテンツをレイアウトしデザインシートを生成する処理と、をコンピュータに実行させることを特徴とするプログラム。
【発明の詳細な説明】
【技術分野】
【０００１】
本発明は、コンテンツの提供の際に表示形式を指定するコンテンツ提供装置、コンテンツ提供のための方法およびプログラムに関する。
【背景技術】
【０００２】
近年、インターネット上において電子コンテンツが閲覧されており、様々な表示技術を利用したアプリやサービスが提供され始めている。そして、そのようなアプリやサービスを提供する際のユーザインタフェース技術が開発されている。
【０００３】
例えば、特許文献１では、あらかじめ用意した複数のイメージ情報付のタイポグラフィから楽曲のジャンル情報に合わせて楽曲の再生に合わせて表示するカラオケ端末装置が記載されている。このように表示情報と楽曲ジャンルを対応づけることで可視表示をよりリッチにしている。
【０００４】
また、特許文献２には、インタネット利用時等に、画面に表示されている情報が所望のものか否かを一瞥して簡単に判断するために、文章データを解析して得られた特性情報に応じて決定された表示属性で文章データを表示する方法が記載されている。また、非特許文献１には、文字をアニメーションとして表現することによって言外の意味を含ませる方法が記載されている。
【先行技術文献】
【特許文献】
【０００５】
【特許文献１】特開２０１３−１０９１６１号公報
【特許文献２】特開２００１−７５９８９号公報
【非特許文献】
【０００６】
【非特許文献１】「モーション・タイポグラフィ」、ジェフ・ベラントーニ／マット・ウールマン著、グラフィック社刊
【発明の概要】
【発明が解決しようとする課題】
【０００７】
上記のように、ユーザがアプリやサービスの提供を受ける際には、情報をユーザに効果的に伝えるための方法が重要である。例えば、現在自分が閲覧している記事がどのようなユーザ層によく閲覧されているのかを表示形式で表現できれば、ユーザに新たな気づきを与える可能性があるが、上記のような技術では、そのような表現で情報を提供することはできない。
【０００８】
本発明は、このような事情に鑑みてなされたものであり、コンテンツを閲覧したユーザによる閲覧履歴情報を反映させて効果的な表現で情報を表示するコンテンツ提供装置、コンテンツ提供のための方法およびプログラムを提供することを目的とする。
【課題を解決するための手段】
【０００９】
（１）上記の目的を達成するため、本発明のコンテンツ提供装置は、コンテンツの提供の際に表示形式を指定するコンテンツ提供装置であって、メタ情報に基づいて、タイポグラフィの候補を抽出する候補抽出部と、表示しようとする特定のコンテンツの情報および前記特定のコンテンツを閲覧したユーザによる閲覧履歴情報に基づいて、前記タイポグラフィの候補のうちから、前記特定のコンテンツの提供先への表示時に用いられるタイポグラフィを決定するタイポグラフィ決定部と、を備えることを特徴としている。このようにして、タイポグラフィというテキストの表示形式により、コンテンツを閲覧したユーザによる閲覧履歴情報を反映させて効果的な表現で情報を表示できる。
【００１０】
（２）また、本発明のコンテンツ提供装置は、前記特定のコンテンツの閲覧履歴情報からメタ情報に含まれる項目毎の閲覧頻度を算出する情報評価部を更に備え、前記タイポグラフィ決定部は、前記算出された閲覧頻度に基づいて、前記特定のコンテンツの提供先への表示時に用いられるタイポグラフィを決定することを特徴としている。これにより、閲覧頻度によりタイポグラフィを決定することで、例えば、あるユーザグループの閲覧頻度の高い記事のタイトルを特有のフォントで大きく表示することができる。
【００１１】
（３）また、本発明のコンテンツ提供装置は、前記候補抽出部が、前記メタ情報として、指定された単一のユーザまたは複数ユーザからなるユーザグループのメタ情報を用いて、タイポグラフィの候補を抽出し、前記タイポグラフィ決定部は、前記特定のコンテンツの閲覧履歴情報として、指定された単一のユーザまたは複数ユーザからなるユーザグループによるコンテンツの閲覧履歴情報を用い、前記特定のコンテンツの提供先への表示時に用いられるタイポグラフィを決定することを特徴としている。これにより、対象とするユーザグループに応じて個人や配信グループに合わせたタイポグラフィの制御が可能となる。
【００１２】
（４）また、本発明のコンテンツ提供装置は、前記タイポグラフィ決定部が、一定の期間内で収集された前記特定のコンテンツを閲覧したユーザによる閲覧履歴情報を用いて、前記特定のコンテンツの提供先への表示時に用いられるタイポグラフィを決定することを特徴としている。これにより、一定の期間内にコンテンツを閲覧したユーザによる閲覧履歴の傾向を、そのコンテンツのタイポグラフィに反映することができる。
【００１３】
（５）また、本発明のコンテンツ提供装置は、前記決定されたタイポグラフィを用いたデザインシートとともに前記特定のコンテンツを配信するコンテンツ配信部と、前記決定されたタイポグラフィを用いたデザインシートにより前記特定のコンテンツを表示するコンテンツ表示部と、を更に備えることを特徴としている。これにより、デザインシートを用いてコンテンツの表示をすることができる。
【００１４】
（６）また、本発明の通信端末装置は、上記のコンテンツ提供装置から前記特定のコンテンツを配信される配信先の通信端末装置であって、前記特定のコンテンツを前記決定されたタイポグラフィを用いたデザインシートで表示する表示部と、前記特定のコンテンツの表示中に、所定の契機で前記コンテンツ提供装置に対して前記決定されたタイポグラフィを確認するタイポグラフィ確認部と、を備え、前記表示部は、前記確認されたタイポグラフィを動的に更新して前記特定のコンテンツを表示することを特徴としている。これにより、他ユーザの現在時刻の閲覧行動に動的に反応してコンテンツのタイポグラフィを更新することができる。
【００１５】
（７）また、本発明のコンテンツ提供装置は、前記決定されたタイポグラフィを用いたデザインシートにより前記特定のコンテンツを表示するコンテンツ表示部を更に備えることを特徴としている。これにより、例えば、家庭用の装置としてもコンテンツ提供装置を用いることができ、子供がコンテンツを閲覧済みなのか否かをコンテンツの表示で知ることができる。
【００１６】
（８）また、本発明の方法は、コンテンツの提供の際に表示形式を指定するコンテンツ提供のための方法であって、メタ情報に基づいて、タイポグラフィの候補を抽出するステップと、表示しようとする特定のコンテンツの情報および前記特定のコンテンツを閲覧したユーザによる閲覧履歴情報に基づいて、前記タイポグラフィの候補のうちから、前記特定のコンテンツのユーザへの表示時に用いられるタイポグラフィを決定するステップと、を含むことを特徴としている。これにより、コンテンツを閲覧したユーザによる閲覧履歴情報を反映させて効果的な表現で情報を表示できる。
【００１７】
（９）また、本発明のプログラムは、コンテンツの提供の際に表示形式を指定するコンテンツ提供のためのプログラムであって、メタ情報に基づいて、タイポグラフィの候補を抽出する処理と、表示しようとする特定のコンテンツの情報および前記特定のコンテンツを閲覧したユーザによる閲覧履歴情報に基づいて、前記タイポグラフィの候補のうちから、前記特定のコンテンツのユーザへの表示時に用いられるタイポグラフィを決定する処理と、をコンピュータに実行させることを特徴としている。これにより、コンテンツを閲覧したユーザによる閲覧履歴情報を反映させて効果的な表現で情報を表示できる。
【発明の効果】
【００１８】
本発明によれば、タイポグラフィというテキストの表示形式により、コンテンツを閲覧したユーザによる閲覧履歴情報を反映させて効果的な表現で情報を表示することができる。
【図面の簡単な説明】
【００１９】
【図１】本発明のコンテンツ提供システムの構成を示すブロック図である。
【図２】コンテンツ・データベースによるコンテンツ管理例を示すテーブルである。
【図３】コンテンツ・データベースによるコンテンツ管理例を示すテーブルである。
【図４】ユーザ情報データベースによるユーザ情報の管理例を示すテーブルである。
【図５】本発明のコンテンツ提供装置の基本的動作を示すフローチャートである。
【図６】タイポグラフィ制御の動作を示すフローチャートである。
【発明を実施するための形態】
【００２０】
以下に、本発明の実施の形態について、図面を参照しながら説明する。説明の理解を容易にするため、各図面において同一の構成要素に対しては同一の参照番号を付し、重複する説明は省略する。
【００２１】
［第１の実施形態］
（コンテンツ提供システムの構成）
図１は、コンテンツ提供システム１００の構成を示すブロック図である。コンテンツ提供システム１００は、サーバ１１０および通信端末装置１２０を備えており、ソーシャルネットワーク等のサービスやアプリ上で閲覧されたというソーシャル情報に基づいて、表示するコンテンツのタイポグラフィ、さらにはデザインを自動で制御する。その結果、ユーザの記憶に残る、着目点を気づかせるための新たな情報配信を実現できる。
【００２２】
（コンテンツ提供装置の構成）
サーバ１１０（コンテンツ提供装置）は、通信端末装置１２０に対してネットワークを介してコンテンツを提供し、そのコンテンツの提供の際に表示形式を指定する。図１に示すように、サーバ１１０は、コンテンツ・データベース１１１、ユーザ情報データベース１１２、コンテンツ選別部１１３、候補抽出部１１４、情報収集部１１５、デザイン生成部１１６およびコンテンツ配信部１１７を備えている 。
【００２３】
コンテンツ・データベース１１１は、配信用のコンテンツを格納している。例えば、ニュース記事やブログ、ＳＮＳへの投稿テキスト等を格納している。コンテンツ・データベースの要素は、例えば、記事ＩＤ、コンテンツ配信元、記事カテゴリ、配信者名、配信日、本文、配信対象ユーザ・グループ、ユーザ毎の閲覧頻度などを利用することができる。図２は、コンテンツ・データベース１１１によるコンテンツ管理例を示すテーブルである。なお、コンテンツ・データベース１１１は、通信機能を搭載することも可能であり、事前に登録したインターネット上の更新情報を取得することや、特定の検索キーワードを用いて検索エンジンの結果を登録することが可能である。
【００２４】
また、コンテンツ・データベース１１１に登録されている記事カテゴリに応じたキーワードリストを作成しておき、コンテンツに含まれる各カテゴリキーワードを事前に抽出して格納することもできる。登録されている記事カテゴリに従う必要はなく、任意のキーワードを事前に設定しておくことも可能である。例えば図３は、コンテンツ・データベースによるコンテンツ管理例を示すテーブルである。なお、図に示す例は一例で、この限りではない。
【００２５】
ユーザ情報データベース１１２は、コンテンツ・データベース１１１に格納されるコンテンツの配信に関する情報に加え、ユーザＩＤ、ユーザ所属グループ、ユーザの属性、コンテンツに対する嗜好情報（以下、メタ情報）が格納される。図４は、ユーザ情報データベースによるユーザ情報の管理例を示すブロック図である。
【００２６】
コンテンツ嗜好については、例えば、コンテンツ・データベース１１１に登録されている記事ジャンルを要素として、ユーザが過去に高頻度で閲覧した記事ジャンルを登録することや、ユーザ自己申告による登録が可能である。また、必ずしも記事ジャンルを登録する必要はなく、ジャンルをベクトルの要素として、頻度に基づくベクトル値を格納することも可能である。ユーザの属性は例えば、性別、年齢層、職業、などを設定できるが、この限りではない。その他に、例えば、Ｔｗｉｔｔｅｒ（登録商標）やＦａｃｅｂｏｏｋ（登録商標）等のソーシャルネットワークの利用頻度を登録してもよい。
【００２７】
また、ユーザ情報データベース１１２は、ウェブサイトの特徴を格納することもできる。例えば、ニュースサイトＡを登録する場合には、ニュースサイトが想定している閲覧ユーザの属性を入力することや、ニュースサイトＡでよく提示される情報のジャンル、キーワードを登録することができる。
【００２８】
コンテンツ選別部１１３は、配信対象ユーザ、グループ情報や、新着情報に基づいて処理を適用するコンテンツを選別する。コンテンツ選別部１１３は、入力コンテンツを複数同時に表示させる場合に、複数コンテンツの位置関係やレイアウトを決定する。例えば、雑誌や新聞形式のレイアウトなども適用することができる。
【００２９】
候補抽出部１１４は、メタ情報に基づいて、タイポグラフィの候補を抽出する。候補抽出部１１４は、メタ情報として、指定された単一のユーザまたは複数ユーザからなるユーザグループのメタ情報を用いて、タイポグラフィの候補を抽出する。
【００３０】
情報収集部１１５は、得られた情報を更新する。また、コンテンツ・データベース１１１に含まれている記事ＩＤごとの閲覧頻度情報などを更新して取得することなどができる。情報収集部１１５は、コンテンツ・データベース１１１およびユーザ情報に登録するためのフィードバック情報を収集する。例えば、記事閲覧履歴や操作履歴、アクセス時間などの情報を収集し、コンテンツ・データベース、およびユーザ情報に登録する。コンテンツ・データベースには、閲覧ユーザ毎の頻度を登録し、ユーザ情報データベースにはコンテンツ嗜好情報を更新することができる。
【００３１】
デザイン生成部１１６は、情報評価部１１６ａ、タイポグラフィ決定部１１６ｂおよびデザインシート生成部１１６ｃを備えている。デザイン生成部１１６は、フィードバック情報に応じて選別されたコンテンツに対するデザインを生成する。
【００３２】
情報評価部１１６ａは、特定のコンテンツの閲覧履歴情報からメタ情報に含まれる項目毎の閲覧頻度を算出する。情報評価部１１６ａでは、ポジネガ比率に応じてフォント色情報の色相、明度、彩度のうち、彩度を比率に応じて変化させることができる。例えば、ポジティブ共有回数がＰ回、ネガティブ共有回数がＱ回だとした際に、彩度＝Ｐ／（Ｐ＋Ｑ）＊２５５として計算することができる。
【００３３】
タイポグラフィ決定部１１６ｂは、表示しようとする特定のコンテンツの情報および特定のコンテンツを閲覧したユーザによる閲覧履歴情報に基づいて、タイポグラフィの候補のうちから、特定のコンテンツの提供先への表示時に用いられるタイポグラフィを決定する。このように、タイポグラフィというテキストの表示形式により、コンテンツを閲覧したユーザによる閲覧履歴情報を反映させて効果的な表現で情報を表示できる。
【００３４】
なお、閲覧履歴情報には、指定された単一のユーザまたは複数ユーザからなるユーザグループによるコンテンツの閲覧履歴情報が含まれる。これにより、対象とするユーザグループに応じて個人や配信グループに合わせたタイポグラフィの制御が可能となる。
【００３５】
参照される閲覧履歴情報は、一定の期間内で収集された特定のコンテンツを閲覧したユーザによるものとすることができる。これにより、一定の期間内にコンテンツを閲覧したユーザによる閲覧履歴の傾向を、そのコンテンツのタイポグラフィに反映することができる。
【００３６】
タイポグラフィ決定部１１６ｂは、算出された閲覧頻度に基づいて、特定のコンテンツの提供先への表示時に用いられるタイポグラフィを決定する。これにより、閲覧頻度によりタイポグラフィを決定することで、例えばあるユーザグループの閲覧頻度の高い記事のタイトルを特有のフォントで大きく表示することができる。
【００３７】
タイポグラフィ決定部１１６ｂは、タイポグラフィを決定する対象となる記事の記事ＩＤに対して、事前に設定した変更パラメータごとにタイポグラフィをリアルタイムで反映するための判定処理を実行する。変更パラメータは、例えば、ユーザメタ情報（年齢層、性別、嗜好、閲覧頻度など）や、ＷＥＢ上でのキーワード頻度等を利用でき、それぞれを単独で利用することや、２、もしくは３パラメータの組み合わせ、また追加パラメータを設定することなども可能である。
【００３８】
タイポグラフィ決定部１１６ｂは、上記の判定結果に基づいてタイポグラフィを更新、決定する。タイポグラフィの項目については、例えば、フォント種別、色情報、フォントサイズなどを利用することができるがこの限りではない。なお、本処理は閲覧数が増加するごとに再度判定処理を実施することで、閲覧ユーザ、ユーザ数の増加に合わせてタイポグラフィを動的に制御することができる。
【００３９】
デザインシート生成部１１６ｃは、コンテンツ・データベースに登録されたコンテンツをユーザ端末に配信するためのデザインを作成する。例えば、単一もしくは複数コンテンツの記事を配信する際にＨＴＭＬ５形式などを用いることでデザインシートを（タイポグラフィ、レイアウト含む）を作成することなどができる。
【００４０】
デザインの更新は、新規コンテンツが登録されたタイミングだけではなく、一定時間で更新がかかるように設定することも可能である。その場合に、更新対象とする期間は、任意に設定することができる。また、フィードバック情報の更新は、配信対象グループごとに変化させることも可能である。
【００４１】
タイポグラフィ制御処理によって決定されたパラメータに基づいてデザインシートを生成する。デザインシートは例えばＨＴＭＬやＨＴＭＬ５形式を利用することができ、表示形態に合わせて適用対象を変化させる。例えば、タイトルだけをリスト表示している場合は、タイトルだけのデザインシートを出力する。また、雑誌または新聞形式の表示形態であれば、表示されているタイトルや本文部分のタイポグラフィを変化させる。
【００４２】
また、本デザインシートは表示期間やユーザグループごとに保管しておくことで、下記コンテンツを閲覧するときに、デザインシートを任意に選択することもできる。また、時系列という概念を加え、閲覧時間に応じてデザインシートを動的に変化させることもできる。
【００４３】
コンテンツ配信部１１７は、決定されたタイポグラフィを用いたデザインシートとともに特定のコンテンツを配信する。このように、コンテンツ配信部１１７は、利用する環境に合わせてコンテンツを表示または配信できる。
【００４４】
（通信端末装置の構成）
通信端末装置１２０は、サーバ１１０において選別されたコンテンツ（特定のコンテンツ）の配信先であり、例えば、ＰＣや携帯端末である。タイポグラフィ確認部１２１は、特定のコンテンツの表示中に、所定の契機でコンテンツ提供装置に対して決定されたタイポグラフィを確認する。
【００４５】
表示部１２２は、特定のコンテンツを決定されたタイポグラフィを用いたデザインシートで表示する。表示部１２２は、決定されたタイポグラフィを用いたデザインシートにより特定のコンテンツを表示する。これにより、デザインシートを用いてコンテンツの表示をすることができる。
【００４６】
表示部１２２は、タイポグラフィ確認部１２１で確認されたタイポグラフィを動的に更新して特定のコンテンツを表示する。これにより、他ユーザの現在時刻の閲覧行動に動的に反応してコンテンツのタイポグラフィを更新することができる。操作部１２３は、ユーザによる記事閲覧の指示操作等を受け付ける。
【００４７】
（コンテンツ提供装置の基本的動作）
上記のように構成されたコンテンツ提供装置の動作を説明する。図５は、サーバ１１０（コンテンツ提供装置）の基本的動作を示すフローチャートである。まず、サーバ１１０は、ユーザに提供するコンテンツを選別する（ステップＳ１）。
【００４８】
選別されたコンテンツが複数あるか否かを判定し（ステップＳ２）、選別されたコンテンツが複数ある場合にはその配置を決定する（ステップＳ３）。一方、選別されたコンテンツが単一である場合には、タイポグラフィ制御を行う（ステップＳ４）。タイポグラフィ制御の詳細は後述する。 タイポグラフィ制御の結果、選別されたコンテンツに対して決定されたタイポグラフィをもとにデザインシートを更新する（ステップＳ５）。
【００４９】
（タイポグラフィ制御）
図６は、タイポグラフィ制御の動作を示すフローチャートである。まず、制御対象となる配信ユーザ・グループ情報を取得する（ステップＳ４１）。次に、得られたユーザ・グループ情報から、該当するユーザに関連する年齢層、性別、嗜好、閲覧頻度情報を取得する（ステップＳ４２）。
【００５０】
年齢層判定では、ユーザの年齢層別の頻度を計算し、例えば最大頻度を示す年齢層情報を出力することができる（ステップＳ４３）。
性別判定では、ユーザの性別の頻度を計算し、例えば最大頻度を示す性別情報を出力することができる（ステップＳ４４）。
【００５１】
嗜好判定では、ユーザのコンテンツ嗜好毎の頻度を計算し、例えば最大頻度や、上位Ｎ件のコンテンツ嗜好カテゴリを出力することができる（ステップＳ４５）。閲覧頻度判定では、ユーザが記事を閲覧した回数をカウントし、閲覧影響度を計算する。閲覧影響度は例えば、（閲覧頻度／配信グループ人数（最大で１））で計算することができる（ステップＳ４６）。
【００５２】
次に、得られた情報に基づいて、タイポグラフィ制御を行い、コンテンツにパラメータに応じた表示を反映させる（ステップＳ４７）。そして、閲覧数の増加のチェックし、増加傾向（加速）があれば、ステップＳ４１に戻る。
【００５３】
（タイポグラフィの更新・決定）
次に、特にタイポグラフィ制御パラメータ出力処理における、フォント種別、色情報、フォントサイズの更新または決定処理の例について説明する。
【００５４】
年齢層判定結果については、例えばあらかじめ以下の表１に示すように年齢層別のフォント種別を設定しておき、判定結果に基づいてフォントを更新または決定することができる。対応するフォントは必ずしも一対一で対応づける必要はなく、日替わりでローテーションすることや、ランダムに変化させることも可能である。
【表１】
0006290747.tif 000002
【００５５】
性別判定結果については、あらかじめ以下の表２に示すように性別毎のフォント種別を設定しておき、判定結果に基づいてフォントを決定することができる。
【表２】
0006290747.tif 000003
【００５６】
コンテンツ嗜好の判定結果については、以下の表３に示すように、あらかじめコンテンツ嗜好毎のフォント種別を設定しておき、判定結果に基づいてフォントを決定する。また、フォント更新、決定の際に、コンテンツ・データベースに事前に抽出してあった、コンテンツ嗜好カテゴリ別のキーワードだけを更新することなどもできる。
【表３】
0006290747.tif 000004
【００５７】
閲覧判定結果については、以下の表４に示すように、あらかじめ数値範囲毎のフォント種別を設定しておき、判定結果に基づいてフォントを決定する。範囲の設定の仕方は例えば、０．２刻みで設定するなど、任意に変更することができる。
【表４】
0006290747.tif 000005
【００５８】
また、複数の判定結果を利用する場合には、判定結果カテゴリ間で、頻度値が最大となる判定結果を優先的に使用することや、判定項目ごとに頻度値に重みをつけて計算することも可能である。
【００５９】
年齢層判定結果については、例えば、あらかじめ以下の表５に示すように年齢層別の色を設定しておき、判定結果に基づいて色を更新・決定することもできる。対応する色は必ずしも一対一で対応づける必要はなく、日替わりでローテーションすることや、ランダムに変化させることも可能である。
【表５】
0006290747.tif 000006
性別判定結果についても同様である。
【００６０】
コンテンツ嗜好の判定結果については、以下の表６に示すように、あらかじめコンテンツ嗜好毎の色情報を設定しておき、判定結果に基づいてフォントを決定する。また、フォント更新、決定の際に、コンテンツ・データベースに事前に抽出してあった、コンテンツ嗜好カテゴリ別のキーワードだけを更新することもできる。
【表６】
0006290747.tif 000007
【００６１】
閲覧判定結果については、以下の表７に示すように、あらかじめ数値範囲毎の色種別を設定しておき、判定結果に基づいて色を決定する。範囲の設定の仕方は例えば、０．２刻みで設定するなど、任意に変更することができる。
【表７】
0006290747.tif 000008
【００６２】
また、色情報の設定に加え、透過率を対応付けることも可能である。例えば影響度×１００の値で透過させることなどが可能である。計算式はこの限りではない。
【００６３】
フォントサイズも同様に判定結果に対応づけた値を利用することができる。また、閲覧頻度判定結果だけを利用することも可能であり、例えば、以下の表８に示すようにあらかじめ数値範囲毎のフォントサイズを設定しておき、判定結果に基づいてフォントサイズを決定する。範囲の設定の仕方は例えば、０．２刻みで設定するなど、任意に変更することができる。また、フォントサイズ自体も任意に設定できる。
【表８】
0006290747.tif 000009
【００６４】
（実施例１:ＷＥＢニュース連動）
コンテンツ提供システム１００は、ＷＥＢニュースに連動させてタイポグラフィを変化させることもできる。その場合、ユーザデータベースに登録されているＷＥＢサイトへの投稿や、ＷＥＢサイト上のコメント回数、ＷＥＢサイト自体の共有回数（リツイート回数）に応じてタイポグラフィを動的に変化させることが可能である。その際に、ＷＥＢサイトで高頻度に利用されるキーワード群があれば、そのキーワード群のみを対象として、タイポグラフィを制御することもできる。
【００６５】
例えば、まず、ＷＥＢサイトの該当記事のコメント回数、リツイート回数、投稿回数の取得する。次に、ユーザデータベースよりＷＥＢサイトのデータベース構成情報を参照をして、ＷＥＢサイトが想定しているユーザに関する情報を取得する。そして、重要キーワードの抽出（ＷＥＢサイトの記事から重要単語、事前に登録した単語を使用）する。
【００６６】
次に、年齢層・性別・嗜好・閲覧頻度を判定し、重要キーワードに対するタイポグラフィー制御パラメータ出力する。そして、閲覧数の増加のチェックし、増加傾向（加速）があれば、ＷＥＢサイトの情報収集に戻る。
【００６７】
（実施例２：Ｔｗｉｔｔｅｒ（登録商標） でのプロフィール等により動的に表示を変化）
実施例１を応用して、Ｔｗｉｔｔｅｒ（登録商標） 等のマイクロブログサービスやＦａｃｅｂｏｏｋ（登録商標）などのＳＮＳにおける共有・リツイート回数に応じて、タイポグラフィを動的に変動させることもできる。
【００６８】
まず、対象サービス上での該当記事のリツイートまたは共有回数の取得する。一方、ユーザデータベースよりＷＥＢサイトのデータベース構成情報を取得し、重要キーワードを抽出する。年齢層・性別・嗜好・閲覧頻度を判定する。重要キーワードに対するタイポグラフィー制御パラメータを出力する。そして、閲覧数増加のチェックし、増加傾向（加速）があれば最初の情報収集に戻る。
【００６９】
なお、ユーザデータベースからの情報収集の際に、リツイートしたユーザがユーザデータベースに登録されていた場合には、登録ユーザの属性情報を利用して判定処理を実施してもよい。また、重要キーワードの抽出は必ずしも必須ではなく、入力記事・コンテンツ全体を対象としてもよい。
【００７０】
（実施例３：Ｆａｃｅｂｏｏｋ（登録商標）等を利用した例）
Ｆａｃｅｂｏｏｋ（登録商標）のユーザ重要度、「いいね」数、リツイート時の付随コメントのポジネガ判定で重みを加えつつ、閲覧アプリ側でのタイポグラフィ表示を動的に制御してもよい。
【００７１】
これを応用して、Ｔｗｉｔｔｅｒ（登録商標）等のマイクロブログサービスやＦａｃｅｂｏｏｋ（登録商標）などのユーザ情報からユーザの重要度を設定したり、「いいね」またはＬＩＫＥ等の付加情報に応じて、判定処理を重み付けするいうこともできる。
【００７２】
例えば、閲覧頻度を用いる場合には、ユーザ重要度が大と設定されたユーザの閲覧頻度をＭ倍することや、閲覧頻度に加え、「いいね」またはＬＩＫＥの付加情報を閲覧頻度として扱うことなどができる。また、リツイートされた内容がポジティブまたはネガティブであるかを判定し、ポジティブ頻度・ネガティブ頻度に応じて色情報を変化させるなども可能である。
【００７３】
例えば、まず、対象サービス上での該当記事のリツイート・共有回数の取得する。そして、ポジティブ・ネガティブ判定を行う。次に、ユーザデータベースよりＷＥＢサイトのデータベース構成情報を取得し、重要キーワードを抽出する。
【００７４】
次に、年齢層、性別、思考または閲覧頻度の判定を行い、ポジティブ・ネガティブまたは頻度を判定する。そして、重要キーワードに対するタイポグラフィー制御パラメータを出力する。閲覧数増加のチェックし、増加傾向（加速）があれば、最初の記事からの情報収集に戻る。
【００７５】
（実施例４：ニュースアプリへの応用例）
配信ニュースのタイトルリストを、閲覧したユーザプロフィール・閲覧頻度に応じてタイポグラフィを動的に制御できる。このような処理では、必ずしも本文だけでなく、タイトル一覧などに適用することもできる。
【００７６】
なお、以上の動作は、プログラムが処理を装置に実行させることにより行われる。
【００７７】
［第２の実施形態］
コンテンツ提供装置は、単体でユーザとのインタラクションを行うものであってもよい。その場合、コンテンツ提供装置は、コンテンツ配信部１１７に代えて、コンテンツ表示部を備え、コンテンツ表示部がユーザにコンテンツを表示することができる。
【００７８】
コンテンツ表示部の前段までの構成は、サーバ１１０と同様であり、コンテンツ表示部は、決定されたタイポグラフィを用いたデザインシートにより特定のコンテンツを表示する。これにより、例えば、家庭用の装置としてもコンテンツ提供装置を用いることができ、子供がコンテンツを閲覧済みなのか否かをコンテンツの表示で知ることができる。
【符号の説明】
【００７９】
１００  コンテンツ提供システム
１１０  サーバ（コンテンツ提供装置）
１１１  コンテンツ・データベース
１１２  ユーザ情報データベース
１１３  コンテンツ選別部
１１４  候補抽出部
１１５  情報収集部
１１６  デザイン生成部
１１６ａ  情報評価部
１１６ｂ  タイポグラフィ決定部
１１６ｃ  デザインシート生成部
１１７  コンテンツ配信部
１２０  通信端末装置
１２１  タイポグラフィ確認部
１２２  表示部
１２３  操作部
【図１】
0006290747.tif 000010
【図２】
0006290747.tif 000011
【図３】
0006290747.tif 000012
【図４】
0006290747.tif 000013
【図５】
0006290747.tif 000014
【図６】
0006290747.tif 000015